(57)【特許請求の範囲】
【請求項１】
カラー画像を表すデジタル画像信号を可視像として再生する画像再生方法において、
前記デジタル画像信号を明暗信号に変換し、該明暗信号に基づいて前記カラー画像のボケ画像を表すボケ画像信号を作成し、
前記デジタル画像信号、および前記ボケ画像信号に対して相対応する画素についての信号間で減算を行って差信号を得、
該差信号に対して所定の画像処理を施して処理済画像信号を得、
該処理済画像信号を可視像として再生することを特徴とする画像再生方法。
【請求項２】
前記デジタル画像信号を所定間隔で間引いてなる間引き信号から前記明暗信号を作成し、該明暗信号のボケ信号を作成し、該ボケ信号の前記間引かれた間隔を補間することにより前記ボケ画像信号を作成することを特徴とする請求項１記載の画像再生方法。
【請求項３】
カラー画像を表すデジタル画像信号を可視像として再生する画像再生方法において、
前記カラー画像の投影像を光電的に読み取ることにより前記デジタル画像信号を得、
光学的にぼかした前記カラー画像の投影像を光電的に読み取ることによりボケ信号を得、該ボケ信号を明暗信号に変換して前記カラー画像のボケ画像を表すボケ画像信号を作成し、
前記デジタル画像信号、および前記ボケ画像信号に対して相対応する画素についての信号間で減算を行って差信号を得、
該差信号に対して所定の画像処理を施して処理済画像信号を得、
該処理済画像信号を可視像として再生することを特徴とする画像再生方法。
【請求項４】
前記ボケ信号を所定間隔で間引いてなる間引き信号から前記明暗信号を作成し、該明暗信号の前記間引かれた間隔を補間することにより前記ボケ画像信号を作成することを特徴とする請求項３記載の画像再生方法。
【請求項５】
カラー画像を表すデジタル画像信号を可視像として再生する画像再生装置において、
前記デジタル画像信号を明暗信号に変換し、該明暗信号に基づいて前記カラー画像のボケ画像を表すボケ画像信号を作成するボケ画像信号作成手段と、
前記デジタル画像信号および前記ボケ画像信号に対して、相対応する画素についての信号間で減算を行って差信号を得る減算手段と、
該差信号に対して所定の画像処理を施して処理済画像信号を得る画像処理手段と、
該処理済画像信号を可視像として再生する再生手段とを備えたことを特徴とする画像再生装置。
【請求項６】
前記ボケ画像信号作成手段が、前記デジタル画像信号を所定間隔で間引いてなる間引き信号から前記明暗信号を作成し、該明暗信号のボケ信号を作成し、該ボケ信号の前記間引かれた間隔を補間することにより前記ボケ画像信号を作成する手段であることを特徴とする請求項５記載の画像再生装置。
【請求項７】
カラー画像を表すデジタル画像信号を可視像として再生する画像再生装置において、
前記カラー画像の投影像を光電的に読み取ることにより前記デジタル画像信号を得る読取手段と、
光学的にぼかした前記カラー画像の投影像を光電的に読み取ることによりボケ信号を得、該ボケ信号を明暗信号に変換して前記カラー画像のボケ画像を表すボケ画像信号を作成するボケ画像信号作成手段と、
前記デジタル画像信号、および前記ボケ画像信号に対して相対応する画素についての信号間で減算を行って差信号を得る減算手段と、
該差信号に対して所定の画像処理を施して処理済画像信号を得る画像処理手段と、
該処理済画像信号を可視像として再生する再生手段とを備えたことを特徴とする画像再生装置。
【請求項８】
前記ボケ画像信号作成手段は、前記ボケ信号を所定間隔で間引いてなる間引き信号から前記明暗信号を作成し、該明暗信号の前記間引かれた間隔を補間することにより前記ボケ画像信号を作成する手段であることを特徴とする請求項７記載の画像再生装置。
【発明の詳細な説明】
【０００１】
【産業上の利用分野】
本発明は、写真や印刷物等の反射原稿、ネガフイルム、リバーサルフイルム等の透過原稿に担持されるカラー画像から得られる画像信号を可視像として表示するための画像再生方法および装置に関する。
【０００２】
【従来の技術】
近年、ネガフイルム、リバーサルフイルム等の写真フイルム（以下、フイルムとする）や印刷物等に記録された画像情報を光電的に読み取って、読み取った画像をデジタル信号とした後、種々の画像処理を施して記録用の画像情報とし、この画像情報に応じて変調した記録光によって印画紙等の感光材料を走査露光してプリントするデジタルフォトプリンタの開発が進んでいる。
【０００３】
デジタルフォトプリンタは、複数画像の合成や画像の分割等の編集や、文字と画像との編集等のプリント画像のレイアウトや、色／濃度調整、変倍率、輪郭強調等の各種の画像処理も自由に行うことができ、用途に応じて自由に編集および画像処理したプリントを出力することができる。また、従来の面露光によるプリントでは、感光材料の再現可能濃度域の制約のため、フイルム等に記録されている画像濃度情報をすべて再生することはできないが、デジタルフォトプリンタによればフイルムに記録されている画像濃度情報をほぼ１００  ％再生したプリントが出力可能である。
【０００４】
このようなデジタルフォトプリンタは基本的に、フイルム等の原稿に記録された画像を読み取る読取手段、読み取った画像を画像処理して後の露光条件を決定し、決定された露光条件に従って感光材料を走査露光して現像処理を施したり、モニターに表示したりする画像再生手段より構成される。
【０００５】
フイルム等に記録された画像の読取装置においては、例えばスリット走査による読み取りでは、１次元方向に延在するスリット状の読取光をフイルムに照射するとともに、フイルムをこの１次元方向と略直交する方向に移動（あるいは読取光と光電変換素子とを移動）することにより、フイルムを２次元的に走査する。フイルムを透過したフイルム画像を担持する透過光は、ＣＣＤラインセンサ等の光電変換素子の受光面上に結像して、光電変換されて読み取られる。読み取られた光量データは増幅され、Ａ／Ｄ変換によりデジタル信号とされ、各ＣＣＤ素子による特性のバラツキの補正、濃度変換、倍率変換等の各種の画像処理が施されて、再生手段に転送される。
【０００６】
再生手段においては、転送された画像情報を、例えばＣＲＴ等のディスプレイに可視像として再生する。オぺレータは、再現画像を見て、必要であればこの再生画像に階調補正や色／濃度補正等の補正をさらに加え（セットアップ条件の設定）、再生画像が仕上りプリントとして合格（検定ＯＫ）であれば、記録用の画像情報として現像手段やモニターに転送する。
【０００７】
画像再生装置においては、ラスタースキャン（光ビーム走査）による画像記録を利用するものであれば、感光材料に形成される３原色の感光層、例えばＲ、ＧおよびＢの３色の露光に対応する３種の光ビームを、記録用の画像情報に応じて変調して主走査方向（前記１次元方向に対応）に偏向すると共に、この主走査方向と略直交する方向に、感光材料を副走査搬送する（偏向された光ビームと感光材料とを相対的に副走査する）ことにより、記録画像に応じて変調された光ビームによって感光材料を２次元的に走査露光して、読み取ったフイルムの画像を感光材料に記録する。
【０００８】
露光済の感光材料は、次いで感光材料に応じた現像処理、例えば銀塩写真感光材料であれば、発色・現像→漂白・定着→水洗→乾燥等の現像処理が施され、仕上りプリントとして出力される。
【０００９】
このような感光材料が記録できる被写体の輝度レンジは比較的広いが、感光材料は最大濃度が制限されているため、通常のプリント方法では輝度差が大きいシーンのプリントは明るい部分（明部）あるいは暗い部分（暗部）のどちらかがつぶれてしまう傾向がある。例えば、人物を逆光で撮影したような場合、人物が明瞭となるようにプリントすると、空のような明るい部分は白くとんでしまい、空のような明るい部分が明瞭となるようにすると人物が黒くなってつぶれてしまう。この問題を解決するために、覆い焼きやマスキングプリントというような方法が用いられている。
【００１０】
覆い焼きはシーンの中の中間的な濃度の領域には通常の露光を与え、プリント上で白くとびそうな領域に穴あき遮蔽板を使って選択的に長時間露光を与えたり、プリント上で黒くつぶれそうな領域には遮蔽板を用いて選択的に露光時間を短くすることにより、個々の被写体のコントラストは維持し、かつ明部・暗部のつぶれのないプリントを得るというものである。このように局部的に露光時間を制御する遮蔽板として、原画フイルムのネガポジを反転したボケ像を写真的に作成したものを用いて、原画フイルムとボケ画像フイルムとを重ねてプリントを行う方法が提案されている。
【００１１】
また、写真原画の照明光源の明るさを部分的に変化させることにより、覆い焼きと同様の効果を得ることができるマスキングプリント方法も提案されている（例えば特開昭５８−６６９２９号、特開昭６４−３５５４２号、特公昭６４−１０８１９号）。
【００１２】
特開昭５８−６６９２９号には、ＣＲＴを照明光源にして、メモリスキャンにより原画を測光してカラー原画のボケマスクデータを作成し、露光モードにおいてはこのボケマスクデータによりＣＲＴの発光を制御して、原画が確実に感光材料のコントラスト再現限界に記録されるようにコントラストの制御を行う装置が記載されている。
【００１３】
また、特開昭６４−３５５４２号には、ＣＲＴを照明光源とし、原画を測光する光路と感光材料に露光する光路とを切り換え可能にしておき、再生される画像の階調補正と彩度補正を行うための露光時のＣＲＴの輝度制御信号を原画の測光データに基づいて作成するとともに、再生画像をモニタに表示するための信号を生成し、これを観察してＣＲＴからの光量を制御して所望とする再生画像が得られるようにした装置が記載されている。
【００１４】
さらに、特公昭６４−１０８１９号には、均一な面光源と原画との間に液晶のような光の透過率を部分的に変化させることができるマトリクスデバイスを配置し、原画の測光データに基づいてこの液晶の透過率を制御して再生画像のコントラストを調整することができるようにした装置が記載されている。
【００１５】
一方、再生時のグレーバランスを補正するために、原画上の各色毎に濃度値の最大、最小値が再生画像上でそれぞれ予め設定された一定の値になるように変換する方法が提案されている（特開平６−２４２５２１号）。この方法は階調の制御をフイルムのコマごとに行うことができるため、輝度差が大きいシーンでは画像全体の階調を軟調化してシーンの輝度レンジが感光材料のダイナミックレンジ内に収まるようにして明部および暗部のつぶれをなくすようにしたものである。
【００１６】
【発明が解決しようとする課題】
しかしながら、上述した覆い焼きやマスキングプリントを行う方法においては、再生される画像に関係なく用意される遮蔽板を操作するために、極めて高度な技術を必要とし、またボケ像フイルムを作成するためには非常に手間がかかり、プリント効率が極めて低くなってしまう。
【００１７】
また、上述した特開昭５８−６６９２９号、特開昭６４−３５５４２号、特公昭６４−１０８１９号においては、ある程度大きな構造物のコントラストは照明光源の輝度分布により調整することにより再生することはできる。しかしながら、再生画像の局所的な構造は原画フイルムの投影像に対応しているため、エッジ部も含めた色再現を自由にコントロールすることができない、エッジの鮮鋭度を自由にコントロールできない、あるいは原画のオーバー、アンダー部などの階調を自由にコントロールできないなどの欠点がある。
【００１８】
さらに特開昭５８−６６９２９号、特開昭６４−３５５４２号、特公昭６４−１０８１９号のそれぞれに記載された装置においては、測光および露光のための処理がシーケンシャルに行われるため処理能力が遅くなったり、または測光時と露光時とで原画の移動量がずれた場合にプリントされる像が乱れるという問題がある。また、液晶を用いる特公昭６４−１０８１９号においては、液晶の透過率は最大３０％程度であるため露光時間が長くなってしまう。さらに、ＣＲＴの管面はガラスで覆われておりガラスの内側が光るようになっているものである。このためＣＲＴの管面にフイルムを密着させてもＣＲＴの光っている面とフイルムとの間には実質的に隙間ができることとなる。このため測光データを表示する特開昭６４−３５５４２号においては、測光時にＣＲＴ発光面とフイルム面との間の隙間により、測光結像系にボケが生じて鮮明なモニタ画像を得ることができないという問題がある。
【００１９】
また、特開平６−２４２５２１号においては、明部および暗部のつぶれをなくすことはできるものの、個々の被写体のコントラストが弱くなり、めりはりのないプリント像になってしまうという問題がある。
【００２０】
本発明は上記事情に鑑み、コントラストが大きい画像であっても画像のめりはりを失うことなく、明部および暗部のつぶれをなくし、さらにはエッジ付近に違和感を生ずることなく色再現性も向上させることにより高画質のプリント像を得ることができる画像再生方法および装置を提供することを目的とするものである。
【００２１】
【課題を解決するための手段】
本発明による画像再生方法および装置は、上述したようなカラー画像を表すデジタル画像信号を可視像として再生する画像再生方法および装置において、
前記カラー画像のボケ画像を表すボケ画像信号を作成し、このボケ画像信号をデジタル画像信号、および作成されたボケ画像信号に対して相対応する画素についての信号間で減算を行って差信号を得、
この差信号に対して所定の画像処理を施して処理済画像信号を得、
該処理済画像信号を可視像として再生することを特徴とするものである。
【００２２】
ここで、ボケ画像信号の具体的な作成の仕方としては、デジタル画像信号を明暗信号に変換し、この明暗信号をフィルタリング処理するなどしてボケ画像信号を作成することが好ましい。
【００２３】
さらに、前記カラー画像を光学的のぼかした投影像を光電的に読み取ることにより前記ボケ画像信号を作成するようにしてもよい。
【００２４】
また、得られるカラー画像信号を予め測定するプレスキャンを行うものにおいては、前記デジタル信号を所定間隔で間引いたプレスキャンにより得られる間引き信号のボケ信号を作成し、このボケ信号の前記間引かれた間隔を補間することにより前記ボケ画像信号を作成するようにしてもよい。
【００２５】
【作用】
本発明による画像再生方法および装置は、カラー画像を表すデジタル画像信号のボケ画像信号を作成するものであるが、このボケ画像信号は、カラー画像中の空間周波数が低い構造物のみを表すものである。したがって、デジタル画像信号からこのボケ画像信号を減算することにより得られる差信号は、画像中の高周波数成分はデジタル画像信号と略同様に信号値を有するものとなるが、低周波数成分はデジタル画像信号よりもその信号値が小さくなる。そしてこのようにして得られた差信号に対し、濃度、彩度および／または階調を変化させる処理を施し、この処理が施された差信号を可視像として再生手段に再生するようにしたものが本発明である。
【００２６】
このようにして得られる差信号は画像全体のコントラストは弱められているものの、高周波数成分により表される局所的なコントラストは原画像であるカラー画像と略同様なものとなっている。したがって、差信号に画像処理を施した処理済画像信号を再生することにより得られる再生画像は、原画像全体のコントラストが強いものであっても、画像全体のコントラストが弱められ、かつこの明部および暗部内の細かなコントラストは残っているため、明部および暗部の双方の画像がつぶれることがないものとなる。
【００２７】
また、デジタル画像信号を明暗信号に変換し、この明暗信号をフィルタリング処理するなどしてボケ画像信号を作成することにより、処理済画像信号を再生した画像は、特に画像内の被写体のエッジ部分においてカラー画像と比較して明るさは変化しているものの、色の再現性は担保される。したがって、元のカラー画像と比較して不自然さのない画像を得ることができる。
【００２８】
また、前記カラー画像を光学的にぼかした投影像を光電的に読み取ってボケ画像信号を作成することにより、例えばボケマスクフィルタを用いた演算によりボケ画像信号を求めるものと比較して、演算を行うための手段が不要となり、装置の構成を簡易なものとすることができる。
【００２９】
さらに、得られるカラー画像信号を予め測定するプレスキャンを行うものにおいては、デジタル信号を所定間隔で間引いてフイルム透過光の検出を行うプレスキャンにより得られる間引き信号のボケ信号を作成し、このボケ信号の間引かれた間隔を補間してボケ画像信号を作成することにより、カラー画像を表すデジタル画像信号を可視像として再生するために必要な処理において得られる信号を用いてボケ画像信号を作成することとなるため、効率のよい画像の再生を行うことができる。
【００３０】
【実施例】
以下図面を参照して本発明の実施例について説明する。
【００３１】
図１は本発明による画像再生装置の第１実施例を表す図である。図１に示すように本発明の第１実施例による画像再生装置１は、画像読取部１Ａと、画像処理部１Ｂとからなる。画像読取部１Ａは、光源２と、光源２からの光量を調整するための調光部３と、光源２からの光をＲＧＢの３色に変換するためのＲＧＢフィルタ４と、ＲＧＢフィルタ４を透過した光を拡散させてフイルム６に照射するためのミラーボックス５と、フイルム６を透過した光をエリアタイプのＣＣＤ８に結像させるためのレンズ７とからなるものである。なお、画像読取方式はエリアタイプのＣＣＤの代りに、ラインセンサを相対的に移動する方式でも、ドラムスキャナのようにスポット測光する方式でもよい。
【００３２】
一方、画像処理部１Ｂは、ＣＣＤ８において検出されたＲＧＢ３色の画像信号を増幅するためのアンプ１０と、増幅された画像信号をデジタル画像信号にＡ／Ｄ変換するためのＡ／Ｄ変換手段１１と、デジタル画像信号を濃度信号に変換するためのルックアップテーブル（ＬＵＴ）１２と、濃度変換されたデジタル画像信号をＲＧＢの色ごとに記憶するフレームメモリ１３Ｒ，１３Ｇ，１３Ｂと、デジタル画像信号を後述する感光材料上で適切な色に再現されるような色の信号となるように補正して信号ＳＡ  を得るマトリクス（ＭＴＸ）１４と、信号ＳＡ  を明暗信号に変換するためのＭＴＸ１５と、明暗信号をボケ信号とするためのローパスフィルタ（ＬＰＦ）１６と、ボケ信号をのコントラストを調整してボケ画像信号ＳＢ  を得るＬＵＴ１７と、信号ＳＡ  から信号ＳＢ  の減算を行って差信号Ｓｓｕｂ  を得る減算手段１８と、差信号Ｓｓｕｂ  のコントラストを補正するためのＬＵＴ１９と、コントラストが補正された信号ＳをＤ／Ａ変換するためのＤ／Ａ変換手段２０，２１とからなるものである。
【００３３】
ここで、ＬＵＴ１７は、図２に示すような階調曲線を与えるテーブルデータを記憶するものであり、入力される信号値が大きい程出力される信号値が若干大きくなる非線形となるようなγ特性となっている。また、ＬＵＴ１９は、図３に示すような階調曲線を与えるテーブルデータを記憶するものであり、入力される信号値が大きい程出力される信号値が小さくなる非線形となるようなγ特性となっている。ここで、ＬＵＴ１７，１９による一連の画像処理の結果得られる画像信号のコントラストは、画面全体の大面積コントラストに関しては、１−（ＬＵＴ１７のγ）の値により決定され、局所的なコントラストは（１−（ＬＵＴ１７のγ））×（ＬＵＴ１９のγ）により決定される。ＬＵＴ１７のγは画面全体の大面積コントラスト（例えば、逆光シーンであれば背景と主要被写体の明るさの差）に応じて変化させればよいが、各種のシーンに対する本出願人の実験の結果、局所的なコントラストは画面全体のコントラストに関係なく略一定にすることが好ましいことが分かった。したがって、ＬＵＴ１９はＬＵＴ１７に連動して（１−（ＬＵＴ１７のγ））×（ＬＵＴ１９のγ）の値が略一定となるように設定することが好ましい。したがって、本実施例においてはＬＵＴ１７は図２に、ＬＵＴ１９は図３に示すようなγ特性を有するものとして上記（１−（ＬＵＴ１７のγ））×（ＬＵＴ１９のγ）の値が略一定となるようにしているものである。
【００３４】
一方、ＭＴＸ１４は読み取られた画像信号を適切な色に仕上げるためのマトリクスであり、フイルム６が有する分光特性と最終的に画像が再生される感光材料の分光特性との組合わせで適切な色に再現されるように画像信号を補正するものである。また、ＭＴＸ１５は、ＲＧＢのカラー画像信号を明暗信号に変換するものであり、ＲＧＢの各画像信号の平均値の３分の１、あるいはＹＩＱ規定などを用いてカラー画像信号を明暗信号に変換するものである。
【００３５】
また、ＬＰＦ１６は、画像信号を２次元的にぼかすためのボケマスクフィルタであり、図４に示すような特性を有する。ここで、ボケマスクの直径が小さ過ぎると鮮鋭度が不自然に強調されたり、エッジ部分のオーバーシュートが目立つようになってしまう。一方、ボケマスクの直径が大き過ぎると主要被写体が小さいときにボケマスクの効果があまり現れなかったり、演算量が多くなって装置の規模が大きくなってしまうという欠点が生じる。本出願人による各種シーンに対する実験の結果、１３５フイルムの場合のマスクサイズの半値幅の直径はフイルム上で０．３  から３ｍｍ程度（さらに望ましくは０．５  から２ｍｍ程度が好ましい。なお、フイルムサイズが１３５フイルムよりも大きい場合は、ボケマスクサイズも大きくした方が好ましい。
【００３６】
さらに、一連の画像処理の結果得られる画像信号の彩度の強弱は、
（ＭＴＸ１４）×（１−（ＬＵＴ１７  のγ）×（ＭＴＸ１５））×（ＬＵＴ１９のγ）
により決定される。したがって上記式のＭＴＸやＬＵＴの係数を適切に定めることにより自由に色再現性をコントロールすることができる。また、ＭＴＸ１５をカラー信号を明暗信号に変換するマトリクスとすることにより被写体のエッジ部分の色再現性を維持しつつ、ボケマスクを作用させることができると同時に、上記演算を行う回路の構成を簡易なものとすることができる。
【００３７】
また、画像によってボケマスクの効果の強弱をコントロールするためのＬＵＴ１７のγの値を変化させたときにプリントの色再現性が一定となるようにするためには、上記式の値が略一定となるようにＭＴＸ１２および／またはＭＴＸ１５の値を互いに連動させて変更すればよい。
【００３８】
次いで本発明による実施例の作用を図１および図５を参照して説明する。
【００３９】
まず画像読取部１Ａの光源２から光が発せられ、調光部３により所定光量の光とされる。この光量は例えば予め測定されたフイルム６に記録された画像の最低濃度点の透過光量が、ＣＣＤ８の飽和レベルの僅かに下のレベルとなるように設定される。そしてこの光はＲＧＢフィルタ４を透過し、ミラーボックス５により拡散されてフイルム６に照射される。フイルム６に記録されている画像に応じて変調されたフイルム６の透過光はレンズ７を通じてＣＣＤ８に照射され、フイルム６に記録された画像を表す画像信号に光電的に変換される。本実施例においては図５（ａ）  に示すような逆光の画像であって、太陽光が反射するキャッチライト３１を含むシーンがフイルム６に記録されているものとする。ここで、ＲＧＢフィルタ４をＲ、Ｇ、Ｂと切り換えることによりカラー画像を表す３色の画像信号が得られ、画像処理部１Ｂに送られる。画像処理部１Ｂにおいては以下の処理がなされる。
【００４０】
画像読取部１Ａにおいて得られた画像信号は微弱であるため、アンプ１０により増幅された後にＡ／Ｄ変換器１１においてデジタル画像信号に変換される。デジタル画像信号はＬＵＴ１２により濃度信号に変換されてフレームメモリ１３Ｒ，１３Ｇ，１３Ｂにそれぞれ記憶される。
【００４１】
次いで、フレームメモリ１３Ｒ，１３Ｇ，１３Ｂに記憶された画像信号が読み出されてＭＴＸ１４により色の補正がなされる。ここでＭＴＸ１４は上述したようにフイルム６が有する分光特性と最終的に画像が再生される感光材料の分光特性とを合わせて色が再現されるようにデジタル画像信号を補正するものである。ＭＴＸ１４により色補正がなされたデジタル画像信号ＳＡ  は後述する減算手段１８に入力される。
【００４２】
ここで、減算手段１８に入力されるデジタル画像信号ＳＡ  としては図５（ｂ）  に示す画像３０のＩ−Ｉ  断面におけるようなプロフィールの信号３２となる。このデジタル画像信号ＳＡ  と最終的なプリント濃度との関係は以下のようになる。すなわち、信号値とプリント濃度との関係を表す階調曲線３５において、被写体がつぶれることなく再現できる領域は図５（ｂ）  の破線で示す領域Ｇである。したがって、デジタル画像信号ＳＡ  においては、画像３０のキャッチライトの部分および人間の部分がこの領域Ｇから外れてしまっているため、このまま信号を感光材料にプリントすると、キャッチライトの部分が白く飽和し、人間の部分が黒くつぶれてしまい、像の一部の濃淡が再現されなくなってしまう。そこで本発明は以下の処理を行うことによりこのような明る過ぎる部分および暗過ぎる部分がつぶれることなく感光材料にプリントできるようにするものである。
【００４３】
まず、デジタル画像信号ＳＡ  が減算手段１８に入力される一方で、信号ＳＡ  が複製されてＭＴＸ１５により明暗信号に変換される。ここでＭＴＸ１５は前述したようにＲＧＢの各画像信号の平均値の３分の１、あるいはＹＩＱ規定などを用いてカラー画像信号を明暗信号に変換するものである。
【００４４】
このようにして得られた明暗信号は次いでＬＰＦ１６によりボケマスク信号に変換される。そしてこのボケマスク信号はＬＵＴ１７により階調変換され、これによりボケ画像信号ＳＢ  に変換される。このボケ画像信号ＳＢ  を図５（ｃ）  に示す。デジタル画像信号ＳＡ  とボケ画像信号ＳＢ  とを比較すると、デジタル画像信号ＳＡのキャッチライトの部分あるいは人間の部分がボケ画像信号ＳＤ  においてはぼかされたようになっている。すなわち、デジタル画像信号ＳＡ  中の高周波数成分が消え、低周波数成分のみにより表されるものとなっている。
【００４５】
次いで、減算手段１８においてデジタル画像信号ＳＡ  からボケ画像信号ＳＢ  の減算が行われて差信号Ｓｓｕｂ  が得られる。この差信号を図５（ｄ）  に示す。図５（ｄ）  に示すように差信号Ｓｓｕｂ  は図５（ａ）  に示すデジタル画像信号ＳＡ  と比較してデジタル画像信号ＳＡ  のキャッチライトの部分あるいは人間の部分が除去されて、信号のレンジも領域Ｇ内に収まるものとなっている。
【００４６】
このようにして得られた差信号Ｓｓｕｂ  は、ＬＵＴ１９により階調変換、濃度変換等されてＤ／Ａ変換器２０あるいはＤ／Ａ変換器２１に入力されてアナログ信号に変換される。Ｄ／Ａ変換器２０により変換されたアナログ信号はモニタ２２に入力されて可視像として再生される。
【００４７】
一方、Ｄ／Ａ変換器２１により変換されたアナログ画像信号は、図６に示す現像部１００  に入力される。現像部１００  においては以下の処理がなされる。
【００４８】
画像処理部１Ｂより出力された画像信号は、図示しないＡＯＭドライバに転送される。ＡＯＭドライバは、転送された画像情報に応じて光ビームを変調するように、画像露光部９８の音響光学変調器（ＡＯＭ）１０４  を駆動する。
【００４９】
一方、画像露光部９８は、光ビーム走査（ラスタースキャン）によって感光材料Ａを走査露光して、画像情報の画像を感光材料Ａに記録するものであり、図７にに示すように、感光材料Ａに形成されるＲ感光層の露光に対応する狭帯波長域の光ビームを射出する光源１０２  Ｒ、以下同様にＧ感光層の露光に対応する光源１０２  Ｇ、およびＢ感光層の露光に対応する光源１０２  Ｂの各光ビームの光源、各光源より射出された光ビームを、それぞれ記録画像に応じて変調するＡＯＭ１０４  Ｒ，１０４  Ｇおよび１０４  Ｂ、光偏向器としてのポリゴンミラー９６、ｆθレンズ１０６  と、感光材料Ａの副走査搬送手段１０８  を有する。
【００５０】
光源１０２  （１０２  Ｒ，１０２  Ｇ，１０２  Ｂ）より射出され、互いに相異なる角度で進行する各光ビームは、それぞれに対応するＡＯＭ１０４  （１０４  Ｒ，１０４  Ｇ，１０４  Ｂ）に入射する。なお、光源１０２  としては、感光材料Ａの感光層に対応する所定波長の光ビームを射出可能な各種の光ビーム光源が利用可能であり、各種の半導体レーザ、ＳＨＧレーザ、Ｈｅ−Ｎｅレーザ等のガスレーザ等が例示される。また各光ビームを合波する合波光学系であってもよい。各ＡＯＭ１０４  には、ＡＯＭドライバより記録画像に応じたＲ，ＧおよびＢそれぞれの駆動信号ｒ，ｇおよびｂが転送されており、入射した光ビームを記録画像に応じて強調変調する。
【００５１】
ＡＯＭ１０４  によって変調された各光ビームは、光偏向器としてのポリゴンミラー９６に入射して反射され、主走査方向（図中矢印ｘ方向）に偏向され、次いでｆθレンズ１０６  によって所定の走査位置ｚに所定のビーム形状で結像するように調整され、感光材料Ａに入射する。なお、光偏向器は、ポリゴンミラーのみならず、レゾナントスキャナ、ガルバノメータミラー等であってもよい。また、このような画像露光部９８には、必要に応じて光ビームの整形手段や面倒れ補正光学系が配備されていてもよいのはもちろんである。
【００５２】
一方、感光材料Ａはロール状に巻回されて遮光された状態で所定位置に装填されている。このような感光材料Ａは引き出しローラ等の引き出し手段に引き出され、カッタによって所定長に切断された後（図示省略）、副走査手段１０８  を構成する走査位置ｚを挟んで配置されるローラ対１０８  ａおよび１０８  ｂによって、走査位置ｚに保持されつつ主走査方向と略直交する副走査方向（図中矢印ｙ方向）に副走査搬送される。ここで、光ビームは前述のように主走査方向に偏向されているので、副走査方向に搬送される感光材料Ａは光ビームによって全面を２次元的に走査され、ＬＵＴ１９により処理がなされた画像信号により表される画像情報の画像が記録される。
【００５３】
露光を終了した感光材料Ａは、次いで搬送ローラ対１１０  によって現像部１００  に搬入され、現像処理を施され仕上りプリントＰとされる。ここで、例えば感光材料Ａが銀塩写真感光材料であれば、現像部１００  は発色・現像槽１１２  、漂白・定着槽１１４  、水洗槽１１６  ａ，１１６  ｂおよび１１６  ｃ、乾燥部１１８  等より構成され、感光材料Ａはそれぞれの処理槽において所定の処理を施され、仕上りプリントＰとして出力される。
【００５４】
図６に示す実施例においては、光ビームをＡＯＭ１０４  によって変調した構成であったが、これ以外にも、光源がＬＤ等の直接変調が可能なものであれば、これによって光ビームを記録画像に応じて変調してもよい。また、副走査搬送手段も走査位置を挟んで配置される２組のローラ対以外に、走査位置に感光材料を保持する露光ドラムと走査位置を挟んで配置される２本のニップローラ等であってもよい。
【００５５】
さらに、上述した光ビーム走査以外にも、ドラムに感光材料を巻き付けて、光ビームを一点に入射して、ドラムを回転すると共に軸線方向に移動する、いわゆるドラムスキャナであってもよい。また、光ビーム走査以外にも、面光源と液晶シャッタとによる面露光であってもよく、ＬＥＤアレイ等の線状光源を用いた露光であってもよい。また図６では、感光材料は露光前にシート状にカットされるようになっているが、ロールのまま露光して現像部１００  の前または後でカットするようにしてもよい。
【００５６】
このようにして、モニタ２２あるいは現像部１００  において可視像として再生される画像は、図５（ａ）  に示す逆光のシーンであっても被写体である人間が黒くつぶれてしまうこともなく、また明るい背景の部分の像がとんでしまうこともなくなる。さらに、ストロボを用いた撮影により得られた画像であっても、近くに写る人物や背景などがつぶれることなく画像を再生することができる。
【００５７】
ところで、照明光源の輝度分布を制御することにより覆い焼きを行う場合は、ＭＴＸ１５の係数の選択により色再現性のコントロールを行うしか方法がないため、色再現性を調整しようとするとエッジ部分は明るさと色再現性とが同時に変化してしまい不自然なプリントになってしまう。しかしながら、ＭＴＸ１５をカラー信号を明暗信号に変換するものとしたため、被写体のエッジ部分の明るさは変化するものの、色再現性は変化しないため、自然な仕上がりのプリントを得ることができる。
【００５８】
さらに、ＬＵＴ１７，１９を非線形なものとしたため、原画フイルムの特性の非線形な部分（例えばオーバー部分、アンダー部分など）の階調補正も可能なものとなる。
【００５９】
また、鮮鋭度強調のための処理ブロックを加えることにより画像の局部的なコントラストを強調することができる。
【００６０】
さらに、コマごとにＬＵＴの形状を変更しなくても、ほとんどのコマで濃度的に美しく仕上げることができることが本出願人の実験により確認されている。すなわち、コントラストが強いシーンを基準に定めたＬＵＴのγ設定において、コントラストが通常ないし弱いシーンを処理しても、ＬＰＦのサイズが大きければボケ画像信号がフラットな形状になるため、不自然さが発生しにくくなるという性質がある。この結果、面露光系では主要な被写体を適切な仕上がり濃度にするために、例えば平均濃度から決定される露光時間を平均濃度と主要被写体濃度との差に対応して大きく補正する必要があるケースが多いのに対して、本発明による方法では僅かな補正により十分良好な再生画像を得ることができる。
【００６１】
さらに、本発明の第１実施例においては、プレスキャンを行うことなくフィルム６からの画像の読取りを１回行うのみで画像信号の処理を行うことができるため、画像の処理を高速に行うことができる。また、読取りを１回だけ行えばよいため、上述した特開昭５８−６６９２９号、特開昭６４−３５５４２号、特公昭６４−１０８１９号などの記載された装置のように、スキャン時と露光時との間でフイルムを移動させる必要がなく、これにより画像信号とマスク信号との間で移動量誤差によるずれがなくなり、常に良好な再生画像を得ることができる。
【００６２】
次いで、本発明による画像再生装置の第２実施例について説明する。
【００６３】
図７は本発明による画像再生装置の第２実施例を表す図である。図７に示すように本発明の第２実施例による画像再生装置１が、図１に示す本発明の第１実施例による画像再生装置１とは、レンズ７およびＣＣＤ８が光軸方向に移動可能となっており、レンズ７およびＣＣＤ８が図７の破線の位置にある場合はフイルム６の透過光がＣＣＤ８の検出面に結像しないようになっている。そしてピントが合った状態の画像信号と、ピントがずれた状態のボケマスク信号とをフイルム６から別個に読み取るようにし、ボケマスク信号を記憶するためのフレームメモリ４０Ｒ，４０Ｇ，４０Ｂを、デジタル画像信号を記憶するためフレームメモリ１３Ｒ，１３Ｇ，１３Ｂとは別個に設けた点が異なるものである。
【００６４】
まず、デジタル画像信号の読取り時には、図７に示す実線の位置にレンズ７およびＣＣＤ８を位置せしめる。そして上述した本発明の第１実施例と同様に、画像読取部１Ａの光源２から光が発せられ、調光部３により所定光量の光とされる。そしてこの光はＲＧＢフィルタ４を透過し、ミラーボックス５により拡散されてフイルム６に照射される。フイルム６に記録されている画像に応じて変調されたフイルム６の透過光はレンズ７を通じてＣＣＤ８に照射され、フイルム６に記録された画像を表す画像信号に光電的に変換される。ＲＧＢフィルタ４をＲ、Ｇ、Ｂと切り換えることによりカラー画像を表す３色の画像信号が得られ、画像処理部１Ｂに送られる。画像処理部１Ｂにおいては以下の処理がなされる。
【００６５】
まず、画像読取部１Ａにおいて得られた画像信号がアンプ１０により増幅された後にＡ／Ｄ変換器１１においてデジタル画像信号に変換され、ＬＵＴ１２により濃度信号に変換されてフレームメモリ１３Ｒ，１３Ｇ，１３Ｂにそれぞれ記憶される。
【００６６】
次いで、ボケマスク信号が読み取られる。ボケマスク信号の読取り時には、図７に示す破線の位置にレンズ７およびＣＣＤ８を位置せしめ、フイルム６の透過光がＣＣＤ８上に結像しないようにされる。そして上述した本発明の第１実施例と同様に、画像読取部１Ａの光源２から光が発せられ、調光部３により所定光量の光とされる。そしてこの光はＲＧＢフィルタ４を透過し、ミラーボックス５により拡散されてフイルム６に照射される。フイルム６に記録されている画像に応じて変調されたフイルム６の透過光はレンズ７を通じてＣＣＤ８に照射され、フイルム６に記録された画像を表すぼけた画像信号に光電的に変換される。ＲＧＢフィルタ４をＲ、Ｇ、Ｂと切り換えることによりカラー画像を表す３色の画像信号が得られ、画像処理部１Ｂに送られる。そしてこのボケマスク信号はアンプ１０により増幅された後にＡ／Ｄ変換器１１においてデジタルのボケマスク信号に変換され、ＬＵＴ１２により濃度信号に変換されてフレームメモリ４０Ｒ，４０Ｇ，４０Ｂにそれぞれ記憶される。
【００６７】
そして、デジタル画像信号がフレームメモリ１３Ｒ，１３Ｇ，１３Ｂから読み出されてＭＴＸ１４により色の補正がなされて減算手段１８に入力される。一方、ボケマスク信号がフレームメモリ４０Ｒ，４０Ｇ，４０Ｂから読み出されてＭＴＸ１５により明暗信号に変換される。ここでＭＴＸ１５は前述したようにＲＧＢの各画像信号の平均値の３分の１、あるいはＹＩＱ規定などを用いてカラー画像信号を明暗信号に変換するものである。そして明暗信号はＬＵＴ１７により階調変換され、これによりボケ画像信号ＳＢ  に変換され、減算手段１８に入力される
次いで、減算手段１８においてデジタル画像信号ＳＡ  からボケ画像信号ＳＢ  の減算が行われて差信号Ｓｓｕｂ  が得られる。この差信号Ｓｓｕｂ  は、ＬＵＴ１９により階調変換されてＤ／Ａ変換器２０あるいはＤ／Ａ変換器２１に入力されてアナログ信号に変換される。Ｄ／Ａ変換器２０により変換されたアナログ信号はモニタ２２に入力されて可視像として再生される、あるいは図６に示す現像部において感光材料に可視像としてプリントされる。
【００６８】
このように、ボケ画像信号を演算ではなくフイルム６の透過像を光学的にぼかして読み取って得ることにより、大規模な回路構成を必要とするボケマスクフィルタが不要となり、装置の構成を簡易なものとすることができ、しかも本発明の第１実施例と同様に、実用上十分良質な再生画像を得ることができる。
【００６９】
次いで本発明による画像再生装置の第３実施例について説明する。
【００７０】
図８は本発明による画像再生装置の第３実施例を表す図である。図８に示すように本発明の第３実施例による画像再生装置１が、図１に示す本発明の第１実施例による画像再生装置１とは、フイルム６の透過光の光路状にこの透過光の光路を切り換えるための切換ミラー４４を設けた点が異なっている。そして、この切換ミラー４４により切り換えられる透過光を２つのＣＣＤ８Ａ，８Ｂにより受光するようにし、かつ、ＣＣＤ８Ｂに照射される透過光をＣＣＤ８Ｂの検出面上に結像させないようになっている。そしてＣＣＤ８Ａ，８Ｂに合わせて、アンプ１０Ａ，１０Ｂ、Ａ／Ｄ変換器１１Ａ，１１Ｂ、ＬＵＴ１２Ａ，１２Ｂ、フレームメモリ１３Ｒ，１３Ｇ，１３Ｂ、４０Ｒ，４０Ｇ，４０Ｂをそれぞれ２個ずつ設けるようにした点が異なるものである。
【００７１】
まず、デジタル画像信号の読取り時には、図８に示す実線の位置に切換ミラー４４を位置せしめる。そして上述した本発明の第１実施例と同様に、画像読取部１Ａの光源２から光が発せられ、調光部３により所定光量の光とされる。そしてこの光はＲＧＢフィルタ４を透過し、ミラーボックス５により拡散されてフイルム６に照射される。フイルム６に記録されている画像に応じて変調されたフイルム６の透過光はレンズ７を通じてＣＣＤ８Ａに照射され、フイルム６に記録された画像を表す画像信号に光電的に変換される。ＲＧＢフィルタ４をＲ、Ｇ、Ｂと切り換えることによりカラー画像を表す３色の画像信号が得られ、画像処理部１Ｂに送られる。画像処理部１Ｂにおいては以下の処理がなされる。
【００７２】
画像読取部１Ａにおいて得られた画像信号はアンプ１０Ａにより増幅された後にＡ／Ｄ変換器１１Ａにおいてデジタル画像信号に変換され、ＬＵＴ１２Ａにより濃度信号に変換されてフレームメモリ１３Ｒ，１３Ｇ，１３Ｂにそれぞれ記憶される。
【００７３】
次いで、ボケマスク信号が読み取られる。ボケマスク信号の読取り時には、図８に示す破線の位置に切換ミラー４４を位置せしめる。そして上述した本発明の第１実施例と同様に、画像読取部１Ａの光源２から光が発せられ、調光部３により所定光量の光とされる。そしてこの光はＲＧＢフィルタ４を透過し、ミラーボックス５により拡散されてフイルム６に照射される。フイルム６に記録されている画像に応じて変調されたフイルム６の透過光はレンズ７を通じてＣＣＤ８Ｂに照射され、フイルム６に記録された画像を表すぼけた画像信号に光電的に変換される。ＲＧＢフィルタ４をＲ、Ｇ、Ｂと切り換えることによりカラー画像を表す３色のボケマスク信号が得られ、画像処理部１Ｂに送られる。そしてこのボケマスク信号はアンプ１０Ｂにより増幅された後にＡ／Ｄ変換器１１Ｂにおいてデジタルのボケマスク信号に変換され、ＬＵＴ１２Ｂにより濃度信号に変換されてフレームメモリ４０Ｒ，４０Ｇ，４０Ｂにそれぞれ記憶される。
【００７４】
そして、デジタル画像信号がフレームメモリ１３Ｒ，１３Ｇ，１３Ｂから読み出されてＭＴＸ１４により色の補正がなされて減算手段１８に入力される。一方、ボケマスク信号がフレームメモリ４０Ｒ，４０Ｇ，４０Ｂから読み出されてＭＴＸ１５により明暗信号に変換される。ここでＭＴＸ１５は前述したようにＲＧＢの各画像信号の平均値の３分の１、あるいはＹＩＱ規定などを用いてカラー画像信号を明暗信号に変換するものである。そして明暗信号はＬＵＴ１６により階調変換され、これによりボケ画像信号ＳＢ  に変換され、減算手段１８に入力される
次いで、減算手段１８においてデジタル画像信号ＳＡ  からボケ画像信号ＳＢ  の減算が行われて差信号Ｓｓｕｂ  が得られる。この差信号Ｓｓｕｂ  は、ＬＵＴ１９により階調変換されてＤ／Ａ変換器２０あるいはＤ／Ａ変換器２１に入力されてアナログ信号に変換される。Ｄ／Ａ変換器２０により変換されたアナログ信号はモニタ２２に入力されて可視像として再生される、あるいは図６に示す現像部において感光材料に可視像としてプリントされる。
【００７５】
このように、ボケ画像信号を演算ではなくフイルム６の透過像を光学的にぼかして読み取って得ることにより、大規模な回路構成を必要とするボケマスクフィルタが不要となり、装置の構成を簡易なものとすることができ、しかも本発明の第１実施例と同様に、実用上十分良質な再生画像を得ることができる。
【００７６】
また、図７に示す本発明の第２実施例と比較して、ボケ画像信号を読み取るためのＣＣＤ８Ｂを画素数の少ない安価なものとすることができ、これに伴いＣＣＤ８Ｂから得られる信号を記憶するためのフレームメモリ４０Ｒ，４０Ｇ，４０Ｂを小型のものとすることができるため、装置の構成を簡易なものとして、高速かつ実用上十分良質な再生画像を得ることができる。この場合、ＬＵＴ１６の後にボケ画像信号ＳＢ  と画像信号ＳＡ  との画素密度を揃えるための補間手段４１が必要である。
【００７７】
次いで、本発明の第４実施例について説明する。
【００７８】
図９は本発明による画像再生装置の第４実施例を表す図である。図９に示すように本発明の第４実施例による画像再生装置１は、まずフイルム６に記録された画像を所定間隔の画素ごとに荒く読み取るプレスキャンを行い、このプレスキャンにより得られた情報に基づいて画素の間隔を細かくしてフイルム６に記録された画像を読み取るファインスキャンを行うものである。また、図１に示す本発明の第１実施例による画像再生装置１と比較して、プレスキャンにより得られる信号を記憶するためのプレスキャン用フレームメモリ４５Ｒ，４５Ｇ，４５Ｂと、プレスキャンにより得られた信号に基づいて調光部３を調整するための調光コントローラ４３と、プレスキャンにより得られた信号を補間するための補間手段とを備えた点が異なるものである。
【００７９】
本発明の第４実施例においてはまずプレスキャンが行われる。このプレスキャンは以下のようにして行う。すなわち、画像読取部１Ａの光源２から光を発せしめ、調光部３により所定光量の光とし、そしてこの光をＲＧＢフィルタ４を透過せしめる。この光は、ミラーボックス５により拡散されてフイルム６に照射される。この光はフイルム６に記録されている画像に応じて変調されてレンズ７を通じてＣＣＤ８に照射される。この際ＣＣＤ８はＣＣＤ８の全ての画素を用いることなく、例えば画素を１画素おきに用いて照射された光を光電的に検出する。そしてＲＧＢフィルタ４をＲ、Ｇ、Ｂと切り換えることによりカラー画像を表す３色のプレスキャン信号が得られ、画像処理部１Ｂに送られる。そしてこのプレスキャン信号はアンプ１０により増幅された後にＡ／Ｄ変換器１１においてデジタルのプレスキャン信号に変換され、ＬＵＴ１２により濃度信号に変換されてプレスキャン用フレームメモリ４５Ｒ，４５Ｇ，４５Ｂにそれぞれ記憶される。
【００８０】
次いで調光コントローラ４３がプレスキャン用フレームメモリ４５Ｒ，４５Ｇ，４５Ｂに記憶されたプレスキャン信号を読み出し、このプレスキャン信号の信号値に基づいて、ファインスキャン時において調光部３を調整して光源２から発せられる光の光量を調整する。すなわち、プレスキャンにより得られる信号値が比較的大きければ、ファインスキャン時においてフイルム６に照射される光の光量を比較的少なくして、最終的に得られる画像の濃度が高くなり過ぎることを防止し、また、プレスキャンにより得られる信号値が比較的小さければ、ファインスキャン時においてフイルム６に照射される光の光量を比較的大きくして、最終的に得られる画像の濃度が低くなり過ぎることを防止する。
【００８１】
このようにしてプレスキャン信号に基づいて調光部３が調整されると続いてファインスキャンが行われる。
【００８２】
まず、プレスキャン時と同様に、画像読取部１Ａの光源２から所定光量の光が発せられ、調光部３により所定光量の光とされる。この所定光量はプレスキャンにより得られたプレスキャン信号に基づいて定められる。そしてこの光はＲＧＢフィルタ４を透過し、ミラーボックス５により拡散されてフイルム６に照射される。フイルム６に記録されている画像に応じて変調されたフイルム６の透過光は、レンズ７を通じてＣＣＤ８に照射され、フイルム６に記録された画像を表す画像信号に光電的に変換される。この際プレスキャン時とは異なり、ＣＣＤ８の全画素を用いてフイルム６の透過光が光電的に検出される。そしてＲＧＢフィルタ４をＲ、Ｇ、Ｂと切り換えることによりカラー画像を表す３色の画像信号が得られ、画像処理部１Ｂに送られる。
【００８３】
画像読取部１Ａにおいて得られた画像信号はアンプ１０により増幅された後にＡ／Ｄ変換器１１においてデジタル画像信号に変換され、ＬＵＴ１２により濃度信号に変換されてフレームメモリ１３Ｒ，１３Ｇ，１３Ｂにそれぞれ記憶される。
【００８４】
次いで、デジタル画像信号がフレームメモリ１３Ｒ，１３Ｇ，１３Ｂから読み出されてＭＴＸ１４により色の補正がなされて減算手段１８に入力される。
【００８５】
一方、プレスキャン信号がフレームメモリ４５Ｒ，４５Ｇ，４５Ｂから読み出されてＭＴＸ１５により明暗信号に変換される。ここでＭＴＸ１５は前述したようにＲＧＢの各画像信号の平均値の３分の１、あるいはＹＩＱ規定などを用いてカラー画像信号を明暗信号に変換するものである。このようにして得られた明暗信号は次いでＬＰＦ１６によりボケマスク信号に変換される。そしてこのボケマスク信号はＬＵＴ１７により階調変換される。そして補間手段４２により１画素間隔となっている画素間がこの画素間に隣接する画素の画素値に基づいて補間され、これによりボケ画像信号ＳＢ  が得られる。そしてこのボケ画像信号ＳＢ  は、減算手段１８に入力される。
【００８６】
次いで、減算手段１８においてデジタル画像信号ＳＡ  からボケ画像信号ＳＢ  の減算が行われて差信号Ｓｓｕｂ  が得られる。この差信号Ｓｓｕｂ  は、ＬＵＴ１９により階調変換されてＤ／Ａ変換器２０あるいはＤ／Ａ変換器２１に入力されてアナログ信号に変換される。Ｄ／Ａ変換器２０により変換されたアナログ信号はモニタ２２に入力されて可視像として再生される、あるいは図６に示す現像部において感光材料に可視像としてプリントされる。
【００８７】
このように、ボケ画像信号を画素数の少ないプレスキャン信号に基づいて得ることにより、大規模な回路構成を必要とするボケマスクフィルタが不要となり、装置の構成を簡易なものとすることができ、しかも本発明の第１実施例と同様に、実用上十分良質な再生画像を得ることができる。
【００８８】
また、調光部３を調整するために必要なプレスキャン信号に基づいてボケ画像信号を求めるようにしたため、ボケ画像信号を得るためにフイルム６をスキャンする必要がなくなるため、処理時間を短縮して効率良く画像の記録を行うことができる。
【００８９】
【発明の効果】
以上詳細に説明したように、本発明による画像再生方法および装置は、コントラストの強い画像であっても、画像全体のコントラストを弱めつつ、明部および暗部の局所的なコントラストは維持できるため、画像のめりはりを維持して明部および暗部のつぶれのない良質な画像を再生することができる。例えば、逆光で撮影した画像においては、近くに写っている人物および遠くの背景のいずれもつぶれることなく再生することができる。
【００９０】
また、ボケ画像信号をデジタル画像信号の明暗信号に基づいて作成することにより、再生される画像（特に被写体のエッジ部分）の明るさは変化しても、色の再現性は変化しないため、元のカラー画像と同様の不自然さのない画像を再生することができる。
【図面の簡単な説明】
【図１】本発明による画像再生装置の第１実施例を表す図
【図２】ＬＵＴ１７のγ特性を表す図
【図３】ＬＵＴ１９のγ特性を表す図
【図４】ローパスフィルタを表す図
【図５】本発明による画像再生装置において行われる処理を説明するための図
【図６】現像部の実施例を表す図
【図７】本発明による画像再生装置の第２実施例を表す図
【図８】本発明による画像再生装置の第３実施例を表す図
【図９】本発明による画像再生装置の第４実施例を表す図
【符号の説明】
２    光源
３    調光部
４    ＲＧＢフィルタ
５    ミラーボックス
６    フイルム
７    レンズ
８，８Ａ，８Ｂ    ＣＣＤ
１０，１０Ａ，１０Ｂ    アンプ
１１，１１Ａ，１１Ｂ    Ａ／Ｄ変換器
１２，１２Ａ，１２Ｂ，１７，１９    ＬＵＴ
１３Ｒ，１３Ｇ，１３Ｂ，４０Ｒ，４０Ｇ，４０Ｂ，４５Ｒ，４５Ｇ，４５Ｂフレームメモリ
１４，１５    ＭＴＸ
１６    ローパスフィルタ（ＬＰＦ）
１８    減算手段
２０，２１    Ｄ／Ａ変換器
２２    モニタ
１００      現像部
【図１】
0003568279.tif 000002
【図２】
0003568279.tif 000003
【図３】
0003568279.tif 000004
【図４】
0003568279.tif 000005
【図５】
0003568279.tif 000006
【図６】
0003568279.tif 000007
【図７】
0003568279.tif 000008
【図８】
0003568279.tif 000009
【図９】
0003568279.tif 000010